(57)【要約】  本発明に係る表示駆動装置は、表示パネル（５）を駆動する表示駆動装置であって、入力電圧Ｖｉｎを出力電圧Ｖ５に昇圧する昇圧回路（２１）と、昇圧された出力電圧Ｖ５を保持するコンデンサ（Ｃ１）と、コンデンサ（Ｃ１）に保持された出力電圧Ｖ５を出力電圧Ｖ４に昇圧する昇圧回路（２２）と、出力電圧Ｖ５及び出力電圧Ｖ６との差分を電源電圧として動作し、出力電圧Ｖ４と出力電圧Ｖ５との間の電位をもつ表示パネル駆動用電圧ＭＶ２を出力するオペアンプ（ＯＰ３）とを備える。
2011024456.tif 000002
【特許請求の範囲】
【請求項１】
表示パネルを駆動する表示駆動装置であって、
入力電位を第１電源電位に昇圧する第１昇圧回路と、
昇圧された前記第１電源電位を保持する容量素子と、
前記容量素子に保持された前記第１電源電位を第２電源電位に昇圧する第２昇圧回路と、
前記第１電源電位及び前記第２電源電位との差分を電源電圧として動作し、前記第１電源電位と前記第２電源電位との間の電位をもつ駆動電位を出力するバッファ回路とを備える
表示駆動装置。
【請求項２】
前記表示駆動装置は、
前記バッファ回路を含み、前記駆動電位を含む複数の異なる駆動電位を出力する複数のバッファ回路と、
前記第１昇圧回路及び第２昇圧回路を含み、多段階に接続された複数の昇圧回路とを備え、
前記複数の昇圧回路は、前記複数のバッファ回路に互いに異なる複数の電源電位を供給し、
２段階以降の昇圧回路のそれぞれは、前段の昇圧回路によって昇圧された電源電位を昇圧し、
前記複数のバッファ回路のそれぞれは、前記複数の電源電位のいずれか２つの電源電位の差分を電源電圧として動作する
請求項１記載の表示駆動装置。
【請求項３】
前記複数のバッファ回路のそれぞれに入力される電源電位のうち高電位側の電源電位は、前記複数の電源電位のうち、当該バッファ回路が出力する駆動電位より電位が高く、かつ、当該駆動電位と最も電位差の小さい電源電位であり、
前記複数のバッファ回路のそれぞれに入力される電源電位のうち低電位側の電源電位は、前記複数の電源電位のうち、当該バッファ回路が出力する駆動電位より電位が低く、かつ、当該駆動電位と最も電位差の小さい電源電位である
請求項２記載の表示駆動装置。
【請求項４】
さらに、
前記複数の電源電位のうち最も電位の高い電源電位を分圧することにより、前記複数のバッファ回路に入力される複数の電位を生成する複数の抵抗を備える
請求項２又は３記載の表示駆動装置。
【請求項５】
さらに、
前記複数の電源電位のうち最も電位の高い駆動電位を一定に保つように制御する電位制御部と、
前記最も電位の高い駆動電位を分圧することにより、前記複数のバッファ回路に入力される複数の電位を生成する複数の抵抗とを備える
請求項２又は３記載の表示駆動装置。
【請求項６】
前記電圧制御回路は、
前記複数の電源電位のうち最も電位の高い電源電位を供給するための第１配線と、
前記最も電位の高い駆動電位を供給するための第２配線と、
ソース及びドレインの一方が前記第１配線に接続され、ソース及びドレインの他方が前記第２配線に接続されたトランジスタと、
前記第２配線の電位の変動に応じて、前記トランジスタのドレイン電流を調整するオペアンプとを備える
請求項５記載の表示駆動装置。
【請求項７】
前記表示駆動装置は、
前記容量素子を含み、前記複数の昇圧回路に１対１に対応し、各々が対応する昇圧回路で昇圧された電位を保持する複数の容量素子を備え、
前記２段階以降の昇圧回路のそれぞれは、前段の昇圧回路によって昇圧された電源電位を昇圧する
請求項２〜６のいずれか１項記載の表示駆動装置。
【請求項８】
さらに、
前記表示パネルの行に対応して設けられ、前記複数のバッファ回路で生成された複数の駆動電位及び接地電位のうちいずれかを選択して対応する行に供給する複数の第１選択回路と、
前記表示パネルの列に対応して設けられ、前記複数のバッファ回路で生成された複数の駆動電位及び接地電位のうちいずれかを選択して対応する列に供給する複数の第２選択回路とを備える
請求項２〜７のいずれか１項記載の表示駆動装置。
【請求項９】
さらに、
前記複数の第１選択回路を択一的に選択し、選択した第１選択回路に対応する行に、当該第１選択回路で選択された駆動電位を供給させる行選択制御部と、
前記複数の第２選択回路を択一的に選択し、選択した第２選択回路に対応する列に、当該第２選択回路で選択された駆動電位を供給させる列選択制御部とを備える
請求項８記載の表示駆動装置。
【請求項１０】
表示パネルを駆動する表示駆動装置であって、
複数の異なる駆動電位を出力する複数のバッファ回路と、
多段階に接続された複数の昇圧回路とを備え、
２段階以降の昇圧回路のそれぞれは、前段の昇圧回路によって昇圧された電源電位を昇圧し、
前記複数のバッファ回路のそれぞれは、前記複数の電源電位のうち当該バッファ回路が出力する駆動電位より電位が高くかつ当該駆動電位と最も電位差の小さい電源電位を、当該バッファ回路の高電位側の電源電位とし、前記複数の電源電位のうち当該バッファ回路が出力する駆動電位より電位が低くかつ当該駆動電位と最も電位差の小さい電源電位を、当該バッファ回路の低電位側の電源電位として動作する
表示駆動装置。
【請求項１１】
請求項１〜１０のいずれか１項記載の表示駆動装置と、
前記表示駆動装置により駆動される表示パネルとを備える
表示装置。
【請求項１２】
入力電源から第１と第２の電源を作成する工程と、
第１と第２の電源で動作するバッファの出力でパネル負荷容量を充電する工程と、
前記パネル負荷容量からの電流で、第１の電源に接続されている容量に充電する工程と、
を含むパネル駆動方法。
【請求項１３】
入力電源から２つの電源を作成する電源回路と、
前記２つの電源のうち低電位の電源に接続されている容量と、
前記２つの電源を基準電位とし、パネル負荷容量に充電するための電流を出力するバッファと、
を有する表示駆動装置。
【発明の詳細な説明】
【技術分野】
【０００１】
本発明は、表示駆動装置に関し、特に、表示パネル負荷への充放電を必要とする表示装置を駆動する表示駆動装置、表示装置及びパネル駆動方法に関する。
【背景技術】
【０００２】
近年、表示機器の分野において、低消費電力化、表示駆動装置および表示装置の小型化への要求が高まっている。とりわけ、表示パネルの大型化に伴う消費電力の増加によって、表示駆動装置にかかる負荷が増大し、発熱等の問題を抱えるようになってきた。【０００３】
このような従来の表示駆動装置（従来例１）について、図面を使って説明する。【０００４】
図８は、従来の表示駆動装置の等価回路図である。【０００５】
図８において、１０２は直流入力電源であり、表示駆動に必要な最大電圧であるＶＡＢを生成する。最大電圧ＶＡＢは抵抗ＶＲ及び抵抗Ｒ１０１〜Ｒ１０５で構成される分圧抵抗器にて分圧され、ボルテージフォロア接続されたオペアンプ８０１ａ〜８０１ｅによって平滑化された電圧ＶＬＣ０〜ＶＬＣ４を出力する。電圧ＶＬＣ０〜ＶＬＣ４と、例えば接地電圧であるＶＬＣ５とを含めた６つの電圧は表示駆動に必要な電圧である。セグメント側液晶ドライバ８０４は、電圧ＶＬＣ０、ＶＬＣ２、ＶＬＣ３及びＶＬＣ５のいずれかを選択し、選択した電圧をＬＣＤパネルへ出力する。また、コモン側液晶ドライバ８０５は、電圧ＶＬＣ０、ＶＬＣ１、ＶＬＣ４及びＶＬＣ５のいずれかを選択し、選択した電圧をＬＣＤパネルへ出力する。このようにセグメント側液晶ドライバ８０４及びコモン側液晶ドライバ８０５により出力された電圧により、ＬＣＤパネルのパネル負荷容量が充放電される。【０００６】
一般に、容量性負荷である表示装置のパネル負荷容量が交流信号で選択された出力電圧により充放電されることにより、表示装置は駆動される。【０００７】
ここで、図８に示す構成では、直流入力電源１０２の正極と接続された端子Ａに各オペアンプ８０１ａ〜８０１ｅの高圧側端子ａが接続され、直流入力電源１０２の負極と接続された端子Ｂに各オペアンプ８０１ａ〜８０１ｅの接地端子ｂが接続されている。【０００８】
しかしながら、この構成において、各オペアンプ８０１ａ〜８０１ｅは、１つの直流入力電源１０２により生成された電圧ＶＡＢを電源電圧として動作しているので、各オペアンプ８０１ａ〜８０１ｅに対して不要に高い電源電圧が供給されていることになる。その結果、オペアンプ８０１ａ〜８０１ｅでの消費電力における電力損失が大きくなる、つまり、表示駆動装置の電力損失が大きくなるという課題がある。【０００９】
また、従来例１では、パネル負荷容量の充放電の際、充放電電流の流出先がオペアンプ８０１ｂ〜８０１ｅの接地電位であるため、消費電力が大きく、低消費電力化への施策がなされていない。【００１０】
そこで、近年の低消費電力化への要望と、表示駆動装置での発熱問題の改善案として、図９に示す特許文献１（従来例２）が開示されている。【００１１】
図９は、特許文献１に記載の表示駆動装置の回路構成を示す図である。【００１２】
同図に示すように、特許文献１に記載の表示駆動装置は、オペアンプＩＣ９１１に、単一の電源供給部９１２と、コンデンサとが外付けされた構成である。オペアンプＩＣ９１１は、電源供給部９１２から供給された電圧Ｖｅｅ及びＶｓｓを抵抗分圧することにより出力電圧Ｖ０〜Ｖ５を生成し、生成した出力電圧Ｖ０〜Ｖ５をオペアンプ９１３ａ〜９１３ｃ及びオペアンプ９１４ａ〜９１４ｃを介して外部に出力する。【００１３】
ここで、この表示駆動装置は、電源供給部９１２から供給された電圧Ｖｅｅの中間電圧ＶＣを生成し、上位電圧側のオペアンプ９１３ａ〜９１３ｃをＶｅｅとＶＣとの間で駆動し、下位電圧側のオペアンプ９１４ａ〜９１４ｃをＶＣと接地電圧であるＶｓｓとの間で駆動するものである。【００１４】
このような構成により、従来例２においては、パネル負荷容量の充電に使用した電荷をコンデンサに戻すことができる。また、パネル負荷容量からの放電電流を、中間電圧ＶＣを保持しているコンデンサからオペアンプ９１４ａ〜９１４ｃに供給する。その結果、従来例２は、従来例１と比較して消費電力を低減している。
【先行技術文献】
【特許文献】
【００１５】
【特許文献１】特開平８−５４５９９号公報
【発明の概要】
【発明が解決しようとする課題】
【００１６】
しかしながら、従来例２においては、パネル負荷容量からの放電電流は、最終的に必ず接地電位に流出するため、低消費電力化の効果が少ない。【００１７】
さらに、上位電圧側のオペアンプの電源電圧であるＶｅｅ及びＶＣと、上位電圧側のオペアンプの出力電圧であるＶ０〜Ｖ２との電圧差が大きくなるために、その差電圧による電力損失が発生している。同様に、下位電圧側のオペアンプの電源電圧であるＶＣ及びＶｓｓと、下位電圧側のオペアンプの出力電圧であるＶ３〜Ｖ５との電圧差が大きくなるために、その差電圧による電力損失も発生している。【００１８】
本発明は、前記従来技術の課題を解決するものであり、消費電力低減効果の高い表示駆動装置、表示装置及びパネル駆動方法を提供することを目的とする。
【課題を解決するための手段】
【００１９】
前記の目的を達成するために、本発明に係る表示駆動装置は、表示パネルを駆動する表示駆動装置であって、入力電位を第１電源電位に昇圧する第１昇圧回路と、昇圧された前記第１電源電位を保持する容量素子と、前記容量素子に保持された前記第１電源電位を第２電源電位に昇圧する第２昇圧回路と、前記第１電源電位及び前記第２電源電位との差分を電源電圧として動作し、前記第１電源電位と前記第２電源電位との間の電位をもつ駆動電位を出力するバッファ回路とを備える。【００２０】
この構成によって、表示パネルのパネル負荷容量から充放電電流の電荷を容量素子に蓄積し、その電荷を第２昇圧回路により第２電源電位に還流させることで、表示駆動装置の低消費電力化ができる。また、このような表示駆動装置を用いた表示装置全体も低消費電力化できる。【００２１】
また、前記表示駆動装置は、前記バッファ回路を含み、前記駆動電位を含む複数の異なる駆動電位を出力する複数のバッファ回路と、前記第１昇圧回路及び第２昇圧回路を含み、多段階に接続された複数の昇圧回路とを備え、前記複数の昇圧回路は、前記複数のバッファ回路に互いに異なる複数の電源電位を供給し、２段階以降の昇圧回路のそれぞれは、前段の昇圧回路によって昇圧された電源電位を昇圧し、前記複数のバッファ回路のそれぞれは、前記複数の電源電位のいずれか２つの電源電位の差分を電源電圧として動作してもよい。【００２２】
これにより、パネル負荷容量からの放電電流が接地電位に流れ込むことを防止でき、より低消費電力化できる。【００２３】
また、前記複数のバッファ回路のそれぞれに入力される電源電位のうち高電位側の電源電位は、前記複数の電源電位のうち、当該バッファ回路が出力する駆動電位より電位が高く、かつ、当該駆動電位と最も電位差の小さい電源電位であり、前記複数のバッファ回路のそれぞれに入力される電源電位のうち低電位側の電源電位は、前記複数の電源電位のうち、当該バッファ回路が出力する駆動電位より電位が低く、かつ、当該駆動電位と最も電位差の小さい電源電位であってもよい。【００２４】
これにより、各バッファ回路の電源電圧の電位と、当該バッファ回路が出力する駆動電位との電位差が小さくなるので、その電位差による電力損失を低減できる。よって、より低消費電力化できる。【００２５】
具体的には、駆動電位と高電位側の電源電位との電位差が小さいので、パネル負荷容量を充電する場合の駆動電位と高電位側の電源電位との間で損失する電力を抑制することができる。一方、駆動電位と低電位側の電源電位との電位差が小さいので、パネル負荷容量を放電する場合の駆動電位と低電位側の電源電位との間で損失する電力を抑制することができる。【００２６】
また、さらに、前記複数の電源電位のうち最も電位の高い電源電位を分圧することにより、前記複数のバッファ回路に入力される複数の電位を生成する複数の抵抗を備えてもよい。【００２７】
また、さらに、前記複数の電源電位のうち最も電位の高い駆動電位を一定に保つように制御する電位制御部と、前記最も電位の高い駆動電位を分圧することにより、前記複数のバッファ回路に入力される複数の電位を生成する複数の抵抗とを備えてもよい。【００２８】
これにより、複数の電源電位のうち最も電位の高い駆動電位が変動したとしても、複数の駆動電位のそれぞれは安定した電圧となり、表示駆動装置の動作安定性を確保することができる。【００２９】
また、前記電圧制御回路は、前記複数の電源電位のうち最も電位の高い電源電位を供給するための第１配線と、前記最も電位の高い駆動電位を供給するための第２配線と、ソース及びドレインの一方が前記第１配線に接続され、ソース及びドレインの他方が前記第２配線に接続されたトランジスタと、前記第２配線の電位の変動に応じて、前記トランジスタのドレイン電流を調整するオペアンプとを備えてもよい。【００３０】
また、前記表示駆動装置は、前記容量素子を含み、前記複数の昇圧回路に１対１に対応し、各々が対応する昇圧回路で昇圧された電位を保持する複数の容量素子を備え、前記２段階以降の昇圧回路のそれぞれは、前段の昇圧回路によって昇圧された電源電位を昇圧してもよい。【００３１】
これにより、全ての昇圧回路のそれぞれは、前段の昇圧回路に対応して設けられた容量素子に蓄積された、パネル負荷容量からの放電電流の電荷を利用して昇圧できる。【００３２】
また、さらに、前記表示パネルの行に対応して設けられ、前記複数のバッファ回路で生成された複数の駆動電位及び接地電位のうちいずれかを選択して対応する行に供給する複数の第１選択回路と、前記表示パネルの列に対応して設けられ、前記複数のバッファ回路で生成された複数の駆動電位及び接地電位のうちいずれかを選択して対応する列に供給する複数の第２選択回路とを備えてもよい。【００３３】
また、さらに、前記複数の第１選択回路を択一的に選択し、選択した第１選択回路に対応する行に、当該第１選択回路で選択された駆動電位を供給させる行選択制御部と、前記複数の第２選択回路を択一的に選択し、選択した第２選択回路に対応する列に、当該第２選択回路で選択された駆動電位を供給させる列選択制御部とを備えてもよい。【００３４】
また、本発明に係る表示駆動装置の他の態様は、表示パネルを駆動する表示駆動装置であって、複数の異なる駆動電位を出力する複数のバッファ回路と、多段階に接続された複数の昇圧回路とを備え、２段階以降の昇圧回路のそれぞれは、前段の昇圧回路によって昇圧された電源電位を昇圧し、前記複数のバッファ回路のそれぞれは、前記複数の電源電位のうち当該バッファ回路が出力する駆動電位より電位が高くかつ当該駆動電位と最も電位差の小さい電源電位を、当該バッファ回路の高電位側の電源電位とし、前記複数の電源電位のうち当該バッファ回路が出力する駆動電位より電位が低くかつ当該駆動電位と最も電位差の小さい電源電位を、当該バッファ回路の低電位側の電源電位として動作する。【００３５】
また、本発明は、上記の表示駆動装置として実現できるだけでなく、そのような表示駆動装置と、当該表示駆動装置により駆動される表示パネルとを備える表示装置として実現することもできる。【００３６】
この構成によって、表示パネルの負荷容量を低電圧で充放電できるために、低消費電力の表示装置とすることができる。【００３７】
また、本発明は、このような特徴的な手段を備える表示駆動装置として実現することができるだけでなく、表示駆動装置に含まれる特徴的な手段をステップとするパネル駆動方法として実現することもできる。本発明に係るパネル駆動方法は、入力電源から第１と第２の電源を作成する工程と、第１と第２の電源で動作するバッファの出力でパネル負荷容量を充電する工程と、前記パネル負荷容量からの電流で、第１の電源に接続されている容量に充電する工程と、を含む。【００３８】
また、本発明に係る表示駆動装置のさらに他の態様は、入力電源から２つの電源を作成する電源回路と、前記２つの電源のうち低電位の電源に接続されている容量と、前記２つの電源を基準電位とし、パネル負荷容量に充電するための電流を出力するバッファと、を有する。
【発明の効果】
【００３９】
本発明によれば、消費電力低減効果の高い表示駆動装置、表示装置及びパネル駆動方法を提供できる。
【図面の簡単な説明】
【００４０】
【図１】図１は、第１の実施形態に係る表示駆動装置を有する表示装置の構成を示すブロック図である。
【図２】図２は、表示駆動装置の一部の構成を具体的に示す回路図である。
【図３】図３は、昇圧回路の具体的な構成を示す回路図である。
【図４】図４は、表示駆動装置の充電電流経路を示す回路図である。
【図５】図５は、表示駆動装置の放電電流経路を示す回路図である。
【図６】図６は、第２の実施形態に係る表示駆動装置の構成を示す回路図である。
【図７】図７は、第３の実施形態に係る表示駆動装置及び表示装置の構成を示す回路図である。
【図８】図８は、従来の表示駆動装置の等価回路図である。
【図９】図９は、特許文献１に記載の表示駆動装置の回路構成を示す図である。
【発明を実施するための形態】
【００４１】
以下、図面を参照して本発明における実施形態を詳細に説明する。
【００４２】
（第１の実施形態）
図１は、本実施形態に係る表示駆動装置を有する表示装置の構成を示すブロック図である。図１に示す構成要素のうち、点線で囲まれた構成要素が本実施形態に係る表示駆動装置ＰＤである。また、図２は、表示駆動装置ＰＤのうち、１本のゲート線に対応する表示駆動装置ＰＤの具体的な構成を示すブロック図である。なお図１では、電源回路部２及び電源回路部１２に接続されている、図２に記載の直流入力電源１と、コンデンサＣ１〜Ｃ６を省略している。
【００４３】
図１及び図２に示すように、本実施形態に係る表示駆動装置ＰＤを有する表示装置は、直流入力電源１と、電源回路部２と、オペアンプ回路部３と、ゲート出力回路部４と、表示パネル５と、行選択制御部６と、電源回路部１２と、オペアンプ回路部１３と、ソース出力回路部１４と、列選択制御部１６とを備える。
【００４４】
直流入力電源１は、直流入力電圧Ｖｉｎを生成し、生成した直流入力電圧Ｖｉｎを電源回路部２に供給する。
【００４５】
電源回路部２は、直流入力電源１から供給された直流入力電圧Ｖｉｎから、互いに電圧の異なる６つの出力電圧Ｖ０〜Ｖ５を生成する。具体的には、電源回路部２は、Ｖ０〜Ｖ５の複数の電圧を生成する昇圧回路２１〜２６を有し、昇圧回路２１〜２６には、電圧平滑用のコンデンサＣ１〜Ｃ６が接続されている。
【００４６】
昇圧回路２１は、直流入力電圧Ｖｉｎを用いて出力電圧Ｖ５を生成する。昇圧回路２１に接続されているコンデンサＣ１は、出力電圧Ｖ５を平滑するコンデンサであり、一端が昇圧回路２１に接続され、他端が接地されている。つまり、昇圧回路２１は直流入力電圧Ｖｉｎを出力電圧Ｖ５に昇圧し、コンデンサＣ１は昇圧された出力電圧Ｖ５を保持する。ここで、昇圧回路２１による出力電圧Ｖ５を生成する動作について、昇圧回路２１の具体的な回路構成と共に説明する。
【００４７】
図３は、昇圧回路２１の具体的な構成を示す回路図である。なお、同図には昇圧回路２１に接続されているコンデンサＣ１及び直流入力電源１も示されている。
【００４８】
昇圧回路２１は、スイッチＳＷ１〜ＳＷ４及びコンデンサＣ０を有する。
【００４９】
まず、スイッチＳＷ２及びＳＷ３をオン、かつ、スイッチＳＷ１及びＳＷ４をオフする。これにより、コンデンサＣ０には電圧Ｖｉｎが印加される。具体的には、スイッチＳＷ２に接続されているコンデンサＣ０の電極（図中、左側の電極）の電位はＧＮＤとなり、スイッチＳＷ３に接続されているコンデンサＣ０の電極（図中、右側の電極）の電位はＶｉｎとなる。
【００５０】
その後、スイッチＳＷ２及びＳＷ３をオフする。つまり、全てのスイッチＳＷ１〜ＳＷ４をオフすることにより、コンデンサＣ０に電圧Ｖｉｎを保持させる。
【００５１】
次に、スイッチＳＷ２及びＳＷ３をオフとした状態でスイッチＳＷ１及びＳＷ４をオンする。これにより、スイッチＳＷ１に接続されているコンデンサＣ０の電極（図中、左側の電極）の電位はＶｉｎとなる。このとき、コンデンサＣ０には電圧Ｖｉｎが保持されているので、スイッチＳＷ４に接続されているコンデンサＣ０の電極（図中、右側の電極）の電位は、２×Ｖｉｎとなる。つまり、出力電圧Ｖ５はＶｉｎの２倍の電圧となる。
【００５２】
以上のように、昇圧回路２１は直流入力電圧Ｖｉｎから、Ｖ５＝２×Ｖｉｎの出力電圧Ｖ５を生成する。
【００５３】
つまり、昇圧回路２１は、本発明の第１昇圧回路の一例であって、入力電圧Ｖｉｎを、本発明の第１電源電位の一例である出力電圧Ｖ５に昇圧する。昇圧回路２１に接続されたコンデンサＣ１は、本発明の容量素子の一例であって、昇圧回路２１で昇圧された出力電圧Ｖ５を保持する。
【００５４】
昇圧回路２２は、昇圧回路２１の出力電圧Ｖ５を用いて出力電圧Ｖ４を生成する。コンデンサＣ２は出力電圧Ｖ４を平滑するコンデンサであり、一端が昇圧回路２２に接続され、他端が接地されている。つまり、昇圧回路２２は、本発明の第２昇圧回路の一例であって、コンデンサＣ１に保持された出力電圧Ｖ５を、本発明の第２電源電位の一例である出力電圧Ｖ４に昇圧する。昇圧回路２２に接続されたコンデンサＣ２は、本発明の容量素子の一例であって、昇圧回路２２で昇圧された出力電圧Ｖ４を保持する。
【００５５】
昇圧回路２３は、昇圧回路２２の出力電圧Ｖ４を用いて出力電圧Ｖ３を生成する。コンデンサＣ３は出力電圧Ｖ３を平滑するコンデンサであり、一端が昇圧回路２３に接続され、他端が接地されている。つまり、昇圧回路２３は、本発明の昇圧回路の一例であり、コンデンサＣ２に保持された出力電圧Ｖ４を出力電圧Ｖ３に昇圧する。昇圧回路２３に接続されたコンデンサＣ３は、本発明の容量素子の一例であって、昇圧回路２３で昇圧された出力電圧Ｖ３を保持する。
【００５６】
昇圧回路２４は、昇圧回路２３の出力電圧Ｖ３を用いて出力電圧Ｖ２を生成する。コンデンサＣ４は出力電圧Ｖ２を平滑するコンデンサであり、一端が昇圧回路２４に接続され、他端が接地されている。つまり、昇圧回路２４は、本発明の昇圧回路の一例であり、コンデンサＣ３に保持された出力電圧Ｖ３を出力電圧Ｖ２に昇圧する。昇圧回路２４に接続されたコンデンサＣ４は、本発明の容量素子の一例であって、昇圧回路２４で昇圧された出力電圧Ｖ２を保持する。
【００５７】
昇圧回路２５は、昇圧回路２４の出力電圧Ｖ２を用いて出力電圧Ｖ１を生成する。Ｃ５は出力電圧Ｖ１を平滑するコンデンサであり、一端が昇圧回路２５に接続され、他端が接地されている。つまり、昇圧回路２５は、本発明の昇圧回路の一例であり、コンデンサＣ４に保持された出力電圧Ｖ２を出力電圧Ｖ１に昇圧する。昇圧回路２５に接続されたコンデンサＣ５は、本発明の容量素子の一例であって、昇圧回路２５で昇圧された出力電圧Ｖ１を保持する。
【００５８】
昇圧回路２６は、昇圧回路２５の出力電圧Ｖ１を用いて出力電圧Ｖ０を生成する。Ｃ６は出力電圧Ｖ０を平滑するコンデンサであり、一端が昇圧回路２２に接続され、他端が接地されている。つまり、昇圧回路２６は、本発明の昇圧回路の一例であり、コンデンサＣ５に保持された出力電圧Ｖ１を出力電圧Ｖ０に昇圧する。昇圧回路２６に接続されたコンデンサＣ６は、本発明の容量素子の一例であって、昇圧回路２６で昇圧された出力電圧Ｖ０を保持する。
【００５９】
昇圧回路２２〜２６のそれぞれは、昇圧回路２１とほぼ同様の構成を有し、昇圧回路２１の直流入力電圧Ｖｉｎに代わり前段の昇圧回路の出力電圧が入力される点が異なる。例えば、昇圧回路２３は、昇圧回路２１の直流入力電圧Ｖｉｎに代わり、昇圧回路２３の前段の昇圧回路２２の出力電圧Ｖ４が入力される。このような回路構成とすることにより、電源回路部２により生成される出力電圧Ｖ０〜Ｖ５はそれぞれ、６４×Ｖｉ、３２×Ｖｉ、１６×Ｖｉ、８×Ｖｉ、４×Ｖｉ、２×Ｖｉとなる。
【００６０】
なお、昇圧回路２３〜２６は、スイッチＳＷ２のコンデンサＣ０と接続されていない端子に、接地電位に代わり前々段の昇圧回路で生成された電圧を印加するような構成であってもよい。例えば、昇圧回路２３のスイッチＳＷ２のコンデンサＣ０と接続されていない端子は、接地電位に代わり、昇圧回路２１の出力電圧Ｖ５が印加されてもよい。このような回路構成とすることにより、電源回路部２により生成される出力電圧Ｖ０〜Ｖ５はそれぞれ、１２×Ｖｉ、１０×Ｖｉ、８×Ｖｉ、６×Ｖｉ、４×Ｖｉ、２×Ｖｉとなる。
【００６１】
昇圧回路２３〜２６の構成は、表示パネル５に要求される電圧及び回路規模等に応じた適切な出力電圧Ｖ０〜Ｖ５を生成できる構成とすればよく、上記いずれの構成であってもよいし、また、上記の出力電圧Ｖ０〜Ｖ５とは異なる電圧を生成する構成であってもよい。
【００６２】
以上のように、  電源回路部２は、直流入力電源から供給された直流入力電圧Ｖｉｎから、互いに電圧の異なる６つの出力電圧Ｖ０〜Ｖ５を生成する。
【００６３】
オペアンプ回路部３は、電源回路部２により生成された出力電圧Ｖ０〜Ｖ５から、表示パネル５の駆動用電圧である表示パネル駆動用電圧ＨＶ、ＭＶ１及びＭＶ２を生成する回路であり、図２に示すように、オペアンプＯＰ１〜ＯＰ３と、抵抗Ｒ１〜Ｒ６で構成される分圧抵抗器とを有する。
【００６４】
オペアンプＯＰ１〜ＯＰ３は、表示パネル駆動用電圧ＨＶ、ＭＶ１及びＭＶ２を生成する。オペアンプＯＰ１は、出力電圧Ｖ０を高電位側電源とし、出力電圧Ｖ１を低電位側電源として駆動されている。また、オペアンプＯＰ２は、出力電圧Ｖ２を高電位側電源、出力電圧Ｖ３を低電位側電源として駆動されており、オペアンプＯＰ３は、出力電圧Ｖ４を高電位側電源、出力電圧Ｖ５を低電位側電源として駆動されている。
【００６５】
つまり、複数のオペアンプＯＰ１〜ＯＰ３のそれぞれは、複数の出力電圧Ｖ０〜Ｖ５のいずれか２つの出力電圧の差分を電源電圧として動作する。
【００６６】
これにより、パネル負荷容量Ｃｐからの放電電流が接地電位に流れ込むことを防止でき、より低消費電力化できる。
【００６７】
より特定的には、複数のオペアンプＯＰ１〜ＯＰ３のそれぞれに入力される出力電圧のうち高電位側の出力電圧は、複数の出力電圧Ｖ０〜Ｖ５のうち、当該オペアンプが出力する表示パネル用駆動電圧より電位が高く、かつ、当該表示パネル用駆動電圧と最も電位差の小さい出力電圧であり、複数のオペアンプＯＰ１〜ＯＰ３のそれぞれに入力される出力電圧のうち低電位側の出力電圧は、前記複数の出力電圧Ｖ０〜Ｖ５のうち、当該オペアンプが出力する表示パネル用駆動電圧より電位が低く、かつ、当該表示パネル用駆動電圧と最も電位差の小さい出力電圧である。
【００６８】
これにより、各オペアンプＯＰ１〜ＯＰ３の電源電圧の電位と、当該オペアンプＯＰ１〜ＯＰ３が出力する駆動電圧との電位差が小さくなるので、その電位差による電力損失を低減できる。よって、表示駆動装置ＰＤは、より低消費電力化できる。
【００６９】
具体的には、各オペアンプＯＰ１〜ＯＰ３に対応する、表示パネル用駆動電圧と高電位側の電源電圧との電位差が小さいので、パネル負荷容量を充電する場合には表示パネル用駆動電圧と高電位側の電源電圧との間で損失する電力を抑制することができる。一方、表示パネル用駆動電圧と低電位側の電源電圧との電位差が小さいので、パネル負荷容量を放電する場合には表示パネル用駆動電圧と低電位側の電源電圧との間で損失する電力を抑制することができる。
【００７０】
昇圧回路２６で生成された出力電圧Ｖ０が供給されている電源線には、この出力電圧Ｖ０を分圧する分圧抵抗器として直列に接続された抵抗Ｒ１〜Ｒ６が接続されており、抵抗Ｒ１とＲ２との間の分圧点の電圧がオペアンプＯＰ１の入力電圧となり、また抵抗Ｒ３とＲ４との間の分圧点の電圧がオペアンプＯＰ２の入力電圧なり、さらに抵抗Ｒ５とＲ６との間の分圧点の電圧がオペアンプＯＰ３の入力電圧となる。
【００７１】
ここで、抵抗Ｒ２とＲ３は結合して１個の抵抗としてもよい。また抵抗Ｒ４とＲ５も結合して１個の抵抗としてもよい。
【００７２】
オペアンプＯＰ１〜ＯＰ３は、ボルテージフォロア接続されており、前記分圧抵抗器の分圧点を入力電圧として、それぞれ表示パネル駆動用電圧ＨＶ、ＭＶ１、ＭＶ２を生成する。つまり、複数の抵抗Ｒ１〜Ｒ２は、複数の出力電圧Ｖ０〜Ｖ５のうち最も電圧の高い出力電圧Ｖ０を分圧することにより、複数のオペアンプＯＰ１〜ＯＰ３の入力電圧を生成する。ボルテージフォロア接続されたオペアンプＯＰ１〜ＯＰ３のそれぞれは、本発明のバッファ回路に相当し、オペアンプＯＰ１〜ＯＰ３は、複数の異なる表示パネル駆動用電圧ＨＶ、ＭＶ１及びＭＶ２を生成する。表示パネル駆動用電圧ＨＶは出力電圧Ｖ０と出力電圧Ｖ１との間の電圧であり、表示パネル駆動用電圧ＭＶ１は出力電圧Ｖ２と出力電圧Ｖ３との間の電圧であり、表示パネル駆動用電圧ＭＶ２は出力電圧Ｖ４と出力電圧Ｖ５との間の電圧である。
【００７３】
ゲート出力回路部４は、表示パネル５の同じ行に属する画素に同一のゲート電圧を供給する。このゲート出力回路部４は、表示パネル５の画素５１の行ごとに対応して設けられた選択回路４１（１）〜４１（ｍ）を有する。なお、選択回路４１（１）〜４１（ｍ）を特に区別する必要がない場合、選択回路４１と記載する場合がある。また、選択回路４１は表示パネル５の行ごとに対応して設けられているとしたが、選択回路４１は画素５１の行ごとに対応して設けられていなくてもよい。つまり、この選択回路４１の個数に制限はなく、ゲート出力回路部４は、選択回路４１を１個からｍ個を有していてもかまわない。
【００７４】
選択回路４１は、本発明の第１選択回路の一例であって、オペアンプＯＰ１〜ＯＰ３で生成された表示パネル駆動用電圧ＨＶ、ＭＶ１及びＭＶ２と接地電位とからいずれかひとつを選択して、対応する行へ出力する。
【００７５】
また、ゲート出力回路部４はパネル負荷容量に接続されており、パネル負荷容量Ｃｐの他端は任意の電圧であるＶａに接続されている。なお、このパネル負荷容量Ｃｐは、表示パネル５の選択回路４１に対応する行に属する画素５１の容量と見なすことができる。
【００７６】
表示パネル５は、表示駆動装置により駆動され、ｍ行×ｎ列の画素５１を備える。
【００７７】
行選択制御部６は、選択回路４１（１）〜４１（ｍ）を択一的に選択し、選択した選択回路４１（ｉ）（１≦ｉ≦ｍ）に対応する行に、選択回路４１（ｉ）で選択された表示パネル用駆動電圧を供給させる。
【００７８】
以上、表示駆動装置ＰＤのうち、表示パネル５の行に対応する構成について述べたが、表示パネル５の列に対応する構成も同様の構成を有するので詳細な説明は省略する。
【００７９】
表示パネル５の列に対応する構成について簡単に説明すると、電源回路部１２は電源回路部２と同様の構成を有する。なお、電源回路部１２が生成する表示パネル駆動用電圧は、電源回路部２により生成される表示パネル駆動用電圧と異なっていてもよい。オペアンプ回路部１３はオペアンプ回路部３と同様の構成を有する。なお、オペアンプ回路部１３が生成する表示パネル駆動用電圧は、オペアンプ回路部３により生成される表示パネル駆動用電圧と異なっていてもよい。ソース出力回路部１４は、本発明の第２選択回路に相当する選択回路１４１（１）〜１４１（ｎ）を有する。選択回路１４１（１）〜１４１（ｎ）は、表示パネル５の列に対応して設けられ、オペアンプ回路部１３で生成された表示パネル駆動用電圧及び接地電位のうちいずれかを選択して対応する列に供給する。列選択制御部１６は、選択回路１４１（１）〜１４１（ｎ）と択一的に選択し、選択した選択回路１４１（ｊ）（１≦ｊ≦ｎ）に対応する列に、選択回路１４１（ｊ）で選択された表示パネル駆動用電圧を供給させる。
【００８０】
以上のように構成された本実施形態に係る表示駆動装置ＰＤにより、表示パネル５は駆動される。
【００８１】
図４は、本第１の実施形態に係る表示駆動装置ＰＤのパネル負荷容量Ｃｐへの充電経路を示す回路図である。図４を参照しながら、パネル負荷容量Ｃｐへの充電電流の経路を説明する。
【００８２】
図４の矢印（一点鎖線）は、選択回路４１にて表示パネル駆動用電圧ＨＶが選択された場合のパネル負荷容量Ｃｐへの充電電流経路を示している。充電電流は、昇圧回路２６の出力平滑用のコンデンサＣ６から供給され、オペアンプＯＰ１を経由してパネル負荷容量Ｃｐを充電する。したがって、パネル負荷容量Ｃｐの一端の電圧は表示パネル駆動用電圧ＨＶに充電され、他端は任意の電圧Ｖａとなる。
【００８３】
次に、図５は本第１の実施形態に係る表示駆動装置ＰＤのパネル負荷容量へＣｐからの放電経路を示す回路図である。図５を参照しながら、充電期間完了後に選択回路４１にて、表示パネル駆動用電圧ＭＶ２が選択された場合について、パネル負荷容量Ｃｐからの放電電流の経路を説明する。
【００８４】
図５の矢印（一点鎖線）は、選択回路４１にて表示パネル駆動用電圧ＨＶが選択された状態から、表示パネル駆動用電圧ＭＶ２が選択された状態へ遷移した場合のパネル負荷容量Ｃｐからの放電電流経路を示す回路図である。放電電流は、選択回路を経由し、表示パネル駆動用電圧ＨＶを出力しているオペアンプＯＰ３で吸収される。オペアンプＯＰ３の低電位側電源はＶ５であるので、放電電流はＶ５を生成している昇圧回路２１に流入し、昇圧回路２１の出力平滑用のコンデンサＣ１に放電電流の電荷Ｑ１が蓄積される。
【００８５】
ここで、昇圧回路２１の出力電圧Ｖ５は、昇圧回路２２の電源となっているため、平滑用のコンデンサＣ１に蓄積された放電電流の電荷Ｑ１は、昇圧回路２２によって出力電圧Ｖ４に昇圧され、平滑コンデンサＣ２に電荷Ｑ２として充電される。
【００８６】
出力電圧Ｖ４は、オペアンプＯＰ３の高電位側電源であるため、電荷Ｑ２の一部は、オペアンプＯＰ３の駆動電流として再利用される。また、電荷Ｑ２の他部の電荷は、昇圧回路２３〜２６で昇圧され、パネル負荷容量Ｃｐの充電電流として還流する。
【００８７】
つまり、電源回路部２は、多段階に接続された複数の昇圧回路２１〜２６を備え、２段階以降の昇圧回路２２〜２６のそれぞれは、前段の昇圧回路によって昇圧された出力電圧を昇圧し、複数のオペアンプＯＰ１〜ＯＰ３のそれぞれは、出力電圧Ｖ０〜Ｖ５のいずれか２つの出力電圧の差分を電源電圧として動作する。これにより、パネル負荷容量Ｃｐからの放電電流が接地電位に流れ込むことを防止できる。
【００８８】
例えば、昇圧回路２２は、昇圧回路２１によって昇圧された出力電圧Ｖ５を、出力電圧Ｖ４に昇圧し、オペアンプＯＰ３は、出力電圧Ｖ４と出力電圧Ｖ５との差分を電源電圧として動作する。さらに、昇圧回路２３は、昇圧回路２２によって昇圧された出力電圧Ｖ４を、出力電圧Ｖ３に昇圧し、昇圧回路２４は、昇圧回路２３によって昇圧された出力電圧Ｖ３を、出力電圧Ｖ２に昇圧し、オペアンプＯＰ２は、出力電圧Ｖ２と出力電圧Ｖ３との差分を電源電圧として動作する。同様に、昇圧回路２５は、昇圧回路２４によって昇圧された出力電圧Ｖ２を、出力電圧Ｖ１に昇圧し、昇圧回路２６は、昇圧回路２４によって昇圧された出力電圧Ｖ１を、出力電圧Ｖ０に昇圧し、オペアンプＯＰ１は、出力電圧Ｖ０と出力電圧Ｖ１との差分を電源出圧として動作する。
【００８９】
これにより、コンデンサＣ１に蓄積された電荷Ｑ１の他部は、コンデンサＣ１に対応する昇圧回路２１の後段の昇圧回路２２〜昇圧回路２６のそれぞれに対応するコンデンサＣ２〜Ｃ６に充電される。その結果、パネル負荷容量Ｃｐからの放電電流は、後に選択回路４１により表示パネル５へ供給するパネル駆動用電圧が切り替えられた場合に、パネル負荷容量Ｃｐの充電電流として還流する。
【００９０】
なお、ここでは選択回路４１により表示パネル駆動用電圧ＭＶ２が選択された場合について説明したが、選択回路４１により表示パネル駆動用電圧ＭＶ１が選択された場合にはパネル負荷容量Ｃｐからの放電電流の電荷がコンデンサＣ３に蓄積される。よって、この場合、コンデンサＣ３に蓄積された電荷の一部はオペアンプＯＰ２から供給される充電電流として再利用され、コンデンサＣ３に蓄積された電荷の他部はオペアンプＯＰ１から供給される充電電流として再利用される。
【００９１】
以上のように、放電電流の再利用、電荷の還流によって、表示装置全体の低消費電力化が可能となる。つまり、放電電流によりコンデンサＣ１及びＣ３に蓄積された電荷を昇圧回路２２〜２６の昇圧に用いることができるので、低消費電力化が可能となる。
【００９２】
このとき、昇圧回路２１〜２６に対応して設けられた出力平滑用のコンデンサＣ１〜Ｃ６はパネル負荷容量Ｃｐに対して、十分大きな値にすることで、パネル負荷容量Ｃｐの充放電電流による出力電圧Ｖ０〜Ｖ５の変動を軽減することができる。例えば、パネル負荷容量は数１０ｎＦ、コンデンサＣ１〜Ｃ６の容量は１μＦである。
【００９３】
以上のように、本実施形態に係る表示駆動装置ＰＤは、表示パネル５を駆動する表示駆動装置であって、入力電圧Ｖｉｎを出力電圧Ｖ５に昇圧する昇圧回路２１と、昇圧された出力電圧Ｖ５を保持するコンデンサＣ１と、コンデンサＣ１に保持された出力電圧Ｖ５を出力電圧Ｖ４に昇圧する昇圧回路２２と、出力電圧Ｖ５及び出力電圧Ｖ６との差分を電源電圧として動作し、出力電圧Ｖ４と出力電圧Ｖ５との間の電位をもつ表示パネル駆動用電圧ＭＶ２を出力するオペアンプＯＰ３とを備える。
【００９４】
これにより、表示パネル５のパネル負荷容量Ｃｐからの充放電電流の電荷をコンデンサＣ１に蓄積し、その電荷を昇圧回路２２により出力電圧Ｖ４に還流させることで、表示駆動装置ＰＤの低消費電力化ができる。また、このような表示駆動装置ＰＤを用いた表示装置全体も低消費電力化できる。
【００９５】
また、表示駆動装置ＰＤは、コンデンサＣ１を含み、複数の昇圧回路２１〜２６に１対１に対応し、各々が対応する昇圧回路２１〜２６で昇圧された電位を保持する複数のコンデンサＣ１〜Ｃ６を備え、２段階以降の昇圧回路２２〜２６のそれぞれは、前段の昇圧回路によって昇圧された出力電圧Ｖ１〜Ｖ５を昇圧する。
【００９６】
これにより、２段階以降の昇圧回路２２〜２６のそれぞれは、前段の昇圧回路に対応して設けられたコンデンサに蓄積された、パネル負荷容量Ｃｐからの放電電流の電荷を利用して昇圧できるので、一層低消費電力化できる。つまり、前段の昇圧回路に対応して設けられたコンデンサに蓄積された電荷を、当該昇圧回路が出力する出力電圧に還流することにより、消費電力を低減できる。
【００９７】
言い換えると、本実施形態に係る表示駆動装置ＰＤは、入力電源（例えば直流入力電圧Ｖｉｎ）から２つの電源（例えば出力電圧Ｖ４及びＶ５）を作成する電源回路（例えば電源回路部２）と、２つの電源のうち低電位の電源（例えば出力電圧Ｖ５）に接続されている容量（例えばコンデンサＣ１）と、２つの電源を基準電位とし、パネル負荷容量Ｃｐに充電するための電流を出力するバッファ（例えばオペアンプＯＰ３）と、を有する。
【００９８】
（第２の実施形態）
次に、本発明に係る第２の実施形態について説明する。
【００９９】
本実施形態に係る駆動表示装置は、第１の実施形態に係る表示駆動装置ＰＤとほぼ同じであるが、オペアンプＯＰ１に代わり、複数の表示パネル駆動用電圧ＨＶ、ＭＶ１及びＭＶ２のうち最も電圧の高い表示パネル駆動用電圧ＨＶを一定に保つように制御する電圧制御回路を備える点が異なる。
【０１００】
図６は、本発明の第２の実施形態に係る表示駆動装置の構成を示す回路図である。図６において、前述の図２に示した表示駆動装置と同じ構成要素のものについては同一の番号を付与し、その説明を省略する。なお、図２ではゲート出力回路部４に含まれる選択回路４１のうち１つの選択回路４１のみを図示したが、図６ではゲート出力回路部４に含まれる複数の選択回路４１（１）〜４１（ｍ）を図示し、負荷容量Ｃｐも各選択回路４１（１）〜４１（ｍ）に対応して図示している。
【０１０１】
本第２の実施形態の表示駆動装置が図２に示す第１の実施形態における表示駆動装置ＰＤの構成と異なる点は、図２のオペアンプ回路部３におけるオペアンプＯＰ１に代えて、電圧制御回路として、表示パネル駆動用電圧ＨＶを生成し、分圧抵抗器３２により表示パネル駆動用電圧ＨＶを分圧することでオペアンプＯＰ２及びＯＰ３の入力電圧を生成している点である。つまり、抵抗Ｒ１〜Ｒ６で構成される分圧抵抗器３２は、第１の実施形態では出力電圧Ｖ０を分圧することにより、オペアンプＯＰ１〜ＯＰ３の入力電圧を生成していたが、本実施形態では表示パネル駆動用電圧ＨＶを分圧することにより、オペアンプＯＰ２及びＯＰ３の入力電圧を生成している。
【０１０２】
電圧制御回路３１は、本発明の電位制御部に相当し、出力電圧Ｖ０を高電位側電源、出力電圧Ｖ１を低電位側電源として駆動されており、直流入力電圧Ｖｉｎ２を基準電圧とし、生成した表示パネル駆動用電圧ＨＶに接続された分圧抵抗器３２の分圧点からフィードバックされた電圧と基準電圧Ｖｉｎ２とを比較することで、表示パネル駆動用電圧ＨＶを制御し、安定した電圧を生成している。
【０１０３】
具体的には、電圧制御回路３１は、複数の出力電圧Ｖ０〜Ｖ５のうち最も電圧の高い出力電圧Ｖ０を供給するための第１配線Ｌ１と、最も電位の高い表示パネル駆動用電圧ＨＶを供給するための第２配線Ｌ２と、ソース及びドレインの一方が第１配線Ｌ１に接続され、ソース及びドレインの他方が第２配線Ｌ２に接続されたトランジスタＴｒと、第２配線Ｌ２の電位の変動に応じて、トランジスタＴｒのドレイン電流を調整するオペアンプＯＰ２１とを備える。
【０１０４】
オペアンプＯＰ２１の反転入力端子（−端子）には基準電圧Ｖｉｎ２が入力され、非反転入力端子（＋端子）には抵抗Ｒ１を介して第２配線Ｌ２の電圧が入力されている。これにより、第２配線Ｌ２の電圧が低下するとオペアンプＯＰ２１のドレイン電流が多く流れる。その結果、第２配線Ｌ２の電圧は一定に保たれる。
【０１０５】
電圧制御回路３１を用いることで、電源回路部２の出力電圧Ｖ０がパネル負荷充放電流など何らかの要因によって変動したとしても、表示パネル駆動用電圧ＨＶは常に安定した電圧を得られる。
【０１０６】
また、オペアンプＯＰ２及びＯＰ３は、電圧制御回路３１によって制御され安定した電圧である表示パネル駆動用電圧ＨＶから分圧抵抗器３２で生成した電圧が入力されるため、制御され安定した表示パネル駆動用電圧ＭＶ１及びＭＶ２を生成することが可能となる。
【０１０７】
以上のように、本第２の実施形態の表示駆動装置は第１の実施形態と同様の放電電流の再利用、電荷の還流による表示装置全体の低消費電力化に加えて、さらに表示パネル駆動用電圧の制御安定化による、表示駆動装置の安定動作が可能となる。
【０１０８】
なお、電圧制御回路３１の構成は上記に限らず、例えば、トランジスタＴｒをＰ型で構成してもよい。
【０１０９】
（第３の実施形態）
なお、第１の実施形態及び第２の実施形態に係る表示駆動装置は、図１に示すような表示装置に適用できるだけでなく、図７に示すように、表示パネル５の行及び列に対して共通の構成を有してもよい。言い換えると、表示駆動装置は、図１に示すように、表示パネル５の行及び列に対して独立に設けられていなくてもよい。
【０１１０】
図７は、本発明の第３の実施形態に係る表示駆動装置および表示装置の構成を示す回路図である。
【０１１１】
図７に示すように、表示駆動装置が表示パネル５の行及び列に対して共通に設けられることにより、パネル負荷容量Ｃｐの両端が、表示駆動装置（ゲート出力回路部４及びソース出力回路部１４）に接続される。このため、パネル負荷容量Ｃｐの充電電流は、選択回路４１及び１４１を経由し、昇圧回路２１〜２６の出力電圧Ｖ１〜Ｖ５に還流し、電荷の再利用が行われる。よって、図７に示す表示装置は、図１に示す表示装置と同様に、表示駆動装置及び表示装置の低消費電力化、発熱の軽減に非常に有効である。
【０１１２】
以上、本発明に係る表示駆動装置及び表示装置について、第１〜３の実施形態に基づいて説明したが、本発明は、これら実施形態に限定されるものではない。本発明の趣旨を逸脱しない限り、当業者が思いつく各種変形を本実施形態に施したものや、異なる実施形態における構成要素を組み合わせて構築される形態も本発明の範囲内に含まれる。
【０１１３】
例えば、第１〜３の実施形態に係る表示駆動装置および表示装置は、電源回路部２の出力電圧がＶ０〜Ｖ５の６出力として説明してきたが、本発明は、これに限定されるものではない。例えば、電源回路部の出力電圧をより多くし、より細分化した電圧を生成することによって、表示パネル駆動用電圧を生成するオペアンプ回路の高電位側電源と低電位側電源を最適値にすることができ、より低消費電力化が可能である。
【０１１４】
また、第１〜３の実施形態に係る表示駆動装置および表示装置は、表示パネル駆動用電圧がＨＶ、ＭＶ１、ＭＶ２、接地電位の４値として説明してきたが、これに限定されるものではない。例えば、表示パネル駆動用電圧が３値以下であったとしても、同様の低消費電力の効果が得られるし、５値以上でも同様である。
【０１１５】
さらに、第１〜３の実施形態に係る表示駆動装置および表示装置は、正電圧として説明してきたが、本発明は、これに限定されるものではなく、負電圧、あるいは正電圧と負電圧の両方を使用する形態でもよい。例えば、直流入力電圧Ｖｉｎを反転させて負電圧の−Ｖｉｎを生成し、さらに、−Ｖｉｎを２倍、３倍・・・として負電圧出力を複数個生成し、その出力電圧を電源とするオペアンプ回路などで表示パネル駆動用電圧を生成しても同様の効果が得られる。
【０１１６】
また、本発明は、第１〜３の実施形態に係る表示駆動装置として実現することができるだけでなく、表示駆動装置に含まれる特徴的な手段をステップとするパネル駆動方法として実現することもできる。具体的には、本発明に係るパネル駆動方法は、入力電源（例えば直流入力電圧Ｖｉｎ）から第１の電源（例えば出力電圧Ｖ５）と第２の電源（例えば出力電圧Ｖ４）を作成する工程と、第１と第２の電源で動作するバッファ（例えばオペアンプＯＰ３）の出力でパネル負荷容量Ｃｐを充電する工程と、パネル負荷容量からの電流で、第１の電源に接続されている容量（例えばコンデンサＣ１）に充電する工程と、を含む。
【産業上の利用可能性】
【０１１７】
本発明に係る表示駆動装置および表示装置は、パネル負荷の充放電電流を接地電位に直接流すことなく電荷の再利用ができるため、表示装置全体の消費電力の低減と電力の再利用が可能であり、さらに表示駆動装置の安定動作もでき、特に、液晶パネルや電子ペーパを備える表示装置に好適である。
【符号の説明】
【０１１８】
１、１０２    直流入力電源
２、１２    電源回路部
３、１３    オペアンプ回路部
４    ゲート出力回路部
５    表示パネル
６    行選択制御部
１４    ソース出力回路部
１６    列選択制御部
２１、２２、２３、２４、２５、２６    昇圧回路
３１    電圧制御回路
３２    分圧抵抗器
４１、４１（１）〜４１（ｍ）、１４１（１）〜１４１（ｎ）    選択回路
５１    画素
８０１ａ〜８０１ｅ、９１３ａ〜９１３ｃ、９１４ａ〜９１４ｃ、ＯＰ１、ＯＰ２、ＯＰ３、ＯＰ４、ＯＰ２１    オペアンプ
８０４    セグメント側液晶ドライバ
８０５    コモン側液晶ドライバ
９１１    オペアンプＩＣ
９１２    電源供給部
Ｒ１、Ｒ２、Ｒ３、Ｒ４、Ｒ５、Ｒ６、Ｒ１０１〜Ｒ１０５、ＶＲ    抵抗
Ｃ０、Ｃ１、Ｃ２、Ｃ３、Ｃ４、Ｃ５、Ｃ６  コンデンサ
Ｃｐ    パネル負荷容量
Ｌ１    第１配線
Ｌ２    第２配線
ＰＤ    表示駆動装置
ＳＷ１〜ＳＷ４    スイッチ
Ｔｒ    トランジスタ
【図１】
2011024456.tif 000003
【図２】
2011024456.tif 000004
【図３】
2011024456.tif 000005
【図４】
2011024456.tif 000006
【図５】
2011024456.tif 000007
【図６】
2011024456.tif 000008
【図７】
2011024456.tif 000009
【図８】
2011024456.tif 000010
【図９】
2011024456.tif 000011
【手続補正書】
【提出日】平成23年1月31日(2011.1.31)
【手続補正１】
【補正対象書類名】特許請求の範囲
【補正対象項目名】全文
【補正方法】変更
【補正の内容】
【特許請求の範囲】
【請求項１】
表示パネルを駆動する表示駆動装置であって、
入力電位を第１電源電位に昇圧する第１昇圧回路と、
昇圧された前記第１電源電位を保持する容量素子と、
前記容量素子に保持された前記第１電源電位を第２電源電位に昇圧する第２昇圧回路と、
前記第１電源電位及び前記第２電源電位との差分を電源電圧として動作し、前記第１電源電位と前記第２電源電位との間の電位をもつ駆動電位を出力するバッファ回路と、
前記バッファ回路を含み、前記駆動電位を含む複数の異なる駆動電位を出力する複数のバッファ回路と、
前記第１昇圧回路及び第２昇圧回路を含み、多段階に接続された複数の昇圧回路とを備え、
前記複数の昇圧回路は、前記複数のバッファ回路に互いに異なる複数の電源電位を供給し、
２段階以降の昇圧回路のそれぞれは、前段の昇圧回路によって昇圧された電源電位を昇圧し、
前記複数のバッファ回路のそれぞれは、前記複数の電源電位のいずれか２つの電源電位の差分を電源電圧として動作し、
前記複数のバッファ回路のそれぞれに入力される電源電位のうち高電位側の電源電位は、前記複数の電源電位のうち、当該バッファ回路が出力する駆動電位より電位が高く、かつ、当該駆動電位と最も電位差の小さい電源電位であり、
前記複数のバッファ回路のそれぞれに入力される電源電位のうち低電位側の電源電位は、前記複数の電源電位のうち、当該バッファ回路が出力する駆動電位より電位が低く、かつ、当該駆動電位と最も電位差の小さい電源電位である
表示駆動装置。
【請求項２】
（削除）
【請求項３】
（削除）
【請求項４】
さらに、
前記複数の電源電位のうち最も電位の高い電源電位を分圧することにより、前記複数のバッファ回路に入力される複数の電位を生成する複数の抵抗を備える
請求項１記載の表示駆動装置。
【請求項５】
さらに、
前記複数の電源電位のうち最も電位の高い駆動電位を一定に保つように制御する電位制御部と、
前記最も電位の高い駆動電位を分圧することにより、前記複数のバッファ回路に入力される複数の電位を生成する複数の抵抗とを備える
請求項１記載の表示駆動装置。
【請求項６】
前記電圧制御回路は、
前記複数の電源電位のうち最も電位の高い電源電位を供給するための第１配線と、
前記最も電位の高い駆動電位を供給するための第２配線と、
ソース及びドレインの一方が前記第１配線に接続され、ソース及びドレインの他方が前記第２配線に接続されたトランジスタと、
前記第２配線の電位の変動に応じて、前記トランジスタのドレイン電流を調整するオペアンプとを備える
請求項５記載の表示駆動装置。
【請求項７】
前記表示駆動装置は、
前記容量素子を含み、前記複数の昇圧回路に１対１に対応し、各々が対応する昇圧回路で昇圧された電位を保持する複数の容量素子を備え、
前記２段階以降の昇圧回路のそれぞれは、前段の昇圧回路によって昇圧された電源電位を昇圧する
請求項１〜６のいずれか１項記載の表示駆動装置。
【請求項８】
さらに、
前記表示パネルの行に対応して設けられ、前記複数のバッファ回路で生成された複数の駆動電位及び接地電位のうちいずれかを選択して対応する行に供給する複数の第１選択回路と、
前記表示パネルの列に対応して設けられ、前記複数のバッファ回路で生成された複数の駆動電位及び接地電位のうちいずれかを選択して対応する列に供給する複数の第２選択回路とを備える
請求項１〜７のいずれか１項記載の表示駆動装置。
【請求項９】
さらに、
前記複数の第１選択回路を択一的に選択し、選択した第１選択回路に対応する行に、当該第１選択回路で選択された駆動電位を供給させる行選択制御部と、
前記複数の第２選択回路を択一的に選択し、選択した第２選択回路に対応する列に、当該第２選択回路で選択された駆動電位を供給させる列選択制御部とを備える
請求項８記載の表示駆動装置。
【請求項１０】
表示パネルを駆動する表示駆動装置であって、
複数の異なる駆動電位を出力する複数のバッファ回路と、
多段階に接続された複数の昇圧回路とを備え、
２段階以降の昇圧回路のそれぞれは、前段の昇圧回路によって昇圧された電源電位を昇圧し、
前記複数のバッファ回路のそれぞれは、前記複数の電源電位のうち当該バッファ回路が出力する駆動電位より電位が高くかつ当該駆動電位と最も電位差の小さい電源電位を、当該バッファ回路の高電位側の電源電位とし、前記複数の電源電位のうち当該バッファ回路が出力する駆動電位より電位が低くかつ当該駆動電位と最も電位差の小さい電源電位を、当該バッファ回路の低電位側の電源電位として動作する
表示駆動装置。
【請求項１１】
請求項１〜１０のいずれか１項記載の表示駆動装置と、
前記表示駆動装置により駆動される表示パネルとを備える
表示装置。
【請求項１２】
請求項１記載の表示駆動装置におけるパネル駆動方法であって、
入力電源から第１と第２の電源を作成する工程と、
第１と第２の電源で動作するバッファの出力でパネル負荷容量を充電する工程と、
前記パネル負荷容量からの電流で、第１の電源に接続されている容量に充電する工程と、
を含むパネル駆動方法。
【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
表示パネルを駆動する表示駆動装置であって、
入力電位を第１電源電位に昇圧する第１昇圧回路と、
昇圧された前記第１電源電位を保持する容量素子と、
前記容量素子に保持された前記第１電源電位を第２電源電位に昇圧する第２昇圧回路と、
前記第１電源電位及び前記第２電源電位との差分を電源電圧として動作し、前記第１電源電位と前記第２電源電位との間の電位をもつ駆動電位を出力するバッファ回路と、
前記バッファ回路を含み、前記駆動電位を含む複数の異なる駆動電位を出力する複数のバッファ回路と、
前記第１昇圧回路及び第２昇圧回路を含み、多段階に接続された複数の昇圧回路とを備え、
前記複数の昇圧回路は、前記複数のバッファ回路に互いに異なる複数の電源電位を供給し、
２段階以降の昇圧回路のそれぞれは、前段の昇圧回路によって昇圧された電源電位を昇圧し、
前記複数のバッファ回路のそれぞれは、前記複数の電源電位のいずれか２つの電源電位の差分を電源電圧として動作し、
前記複数のバッファ回路のそれぞれに入力される電源電位のうち高電位側の電源電位は、前記複数の電源電位のうち、当該バッファ回路が出力する駆動電位より電位が高く、かつ、当該駆動電位と最も電位差の小さい電源電位であり、
前記複数のバッファ回路のそれぞれに入力される電源電位のうち低電位側の電源電位は、前記複数の電源電位のうち、当該バッファ回路が出力する駆動電位より電位が低く、かつ、当該駆動電位と最も電位差の小さい電源電位である
表示駆動装置。
【請求項２】
さらに、
前記複数の電源電位のうち最も電位の高い電源電位を分圧することにより、前記複数のバッファ回路に入力される複数の電位を生成する複数の抵抗を備える
請求項１記載の表示駆動装置。
【請求項３】
さらに、
前記複数の電源電位のうち最も電位の高い駆動電位を一定に保つように制御する電位制御部と、
前記最も電位の高い駆動電位を分圧することにより、前記複数のバッファ回路に入力される複数の電位を生成する複数の抵抗とを備える
請求項１記載の表示駆動装置。
【請求項４】
前記電圧制御回路は、
前記複数の電源電位のうち最も電位の高い電源電位を供給するための第１配線と、
前記最も電位の高い駆動電位を供給するための第２配線と、
ソース及びドレインの一方が前記第１配線に接続され、ソース及びドレインの他方が前記第２配線に接続されたトランジスタと、
前記第２配線の電位の変動に応じて、前記トランジスタのドレイン電流を調整するオペアンプとを備える
請求項３記載の表示駆動装置。
【請求項５】
前記表示駆動装置は、
前記容量素子を含み、前記複数の昇圧回路に１対１に対応し、各々が対応する昇圧回路で昇圧された電位を保持する複数の容量素子を備え、
前記２段階以降の昇圧回路のそれぞれは、前段の昇圧回路によって昇圧された電源電位を昇圧する
請求項１〜４のいずれか１項記載の表示駆動装置。
【請求項６】
さらに、
前記表示パネルの行に対応して設けられ、前記複数のバッファ回路で生成された複数の駆動電位及び接地電位のうちいずれかを選択して対応する行に供給する複数の第１選択回路と、
前記表示パネルの列に対応して設けられ、前記複数のバッファ回路で生成された複数の駆動電位及び接地電位のうちいずれかを選択して対応する列に供給する複数の第２選択回路とを備える
請求項１〜５のいずれか１項記載の表示駆動装置。
【請求項７】
さらに、
前記複数の第１選択回路を択一的に選択し、選択した第１選択回路に対応する行に、当該第１選択回路で選択された駆動電位を供給させる行選択制御部と、
前記複数の第２選択回路を択一的に選択し、選択した第２選択回路に対応する列に、当該第２選択回路で選択された駆動電位を供給させる列選択制御部とを備える
請求項６記載の表示駆動装置。
【請求項８】
表示パネルを駆動する表示駆動装置であって、
複数の異なる駆動電位を出力する複数のバッファ回路と、
多段階に接続された複数の昇圧回路とを備え、
２段階以降の昇圧回路のそれぞれは、前段の昇圧回路によって昇圧された電源電位を昇圧し、
前記複数のバッファ回路のそれぞれは、前記複数の電源電位のうち当該バッファ回路が出力する駆動電位より電位が高くかつ当該駆動電位と最も電位差の小さい電源電位を、当該バッファ回路の高電位側の電源電位とし、前記複数の電源電位のうち当該バッファ回路が出力する駆動電位より電位が低くかつ当該駆動電位と最も電位差の小さい電源電位を、当該バッファ回路の低電位側の電源電位として動作する
表示駆動装置。
【請求項９】
請求項１〜８のいずれか１項記載の表示駆動装置と、
前記表示駆動装置により駆動される表示パネルとを備える
表示装置。
【請求項１０】
請求項１記載の表示駆動装置におけるパネル駆動方法であって、
入力電源から第１と第２の電源を作成する工程と、
第１と第２の電源で動作するバッファの出力でパネル負荷容量を充電する工程と、
前記パネル負荷容量からの電流で、第１の電源に接続されている容量に充電する工程と、
を含むパネル駆動方法。
【国際調査報告】
2011024456.tif 000012
2011024456.tif 000013
2011024456.tif 000014
2011024456.tif 000015